(57)【要約】      （修正有）【課題】使用性を向上できる音声入出力装置を提供する。【解決手段】複数の入力ソースＳ１及びヘッドホン３０、４０、５０が接続される本体部１０を備え、ヘッドホン３０、４０、５０に対して所望の入力ソースの音声データを送信してヘッドホン４０から音声を出力させるテレビジョン受像機１において、各入力ソースＳ１を識別するアイコンのリストとヘッドホン３０、４０、５０を識別するアイコンのリストとを表示するリスト表示部２１と、所望の入力ソースを識別するアイコンとヘッドホンを識別するアイコンとを関連付ける関連付け操作を行う操作部２２とを設け、ヘッドホンを識別するアイコンに関連付けられた入力ソースを識別するアイコンに対応する入力ソースの音声をヘッドホンを識別するアイコンに対応するヘッドホン３０から出力させる。【選択図】図１
2015018384.tif 000002
【特許請求の範囲】
【請求項１】
複数の入力ソース及び一又は複数の音声出力端末が接続される本体部を備え、各前記音声出力端末に対して所望の前記入力ソースの音声データを送信して前記音声出力端末から音声を出力させる音声入出力装置において、
各前記入力ソースを識別する入力識別情報のリストと各前記音声出力端末を識別する出力識別情報のリストとを表示するリスト表示部と、所望の前記入力識別情報と前記出力識別情報とを関連付ける関連付け操作を行う操作部とを設け、
前記出力識別情報に関連付けられた前記入力識別情報に対応する前記入力ソースの音声を該出力識別情報に対応する前記音声出力端末から出力させることを特徴とする音声入出力装置。
【請求項２】
前記本体部と無線通信する通信端末を備え、前記リスト表示部及び前記操作部を前記通信端末に設けたことを特徴とする請求項１に記載の音声入出力装置。
【請求項３】
前記リスト表示部及び前記操作部がタッチパネルから成り、前記入力識別情報及び前記出力識別情報の一方をドラッグして他方にドロップすることにより前記関連付け操作を行うことを特徴とする請求項２に記載の音声出力装置。
【請求項４】
前記本体部と無線通信する通信端末を備えるとともに、前記本体部が前記入力ソースの映像を表示する映像表示部を有し、前記リスト表示部が前記映像表示部から成るとともに、前記操作部を前記通信端末に設けたことを特徴とする請求項１に記載の音声入出力装置。
【請求項５】
前記関連付け操作を行った前記音声出力端末から関連付けが完了したことを示す所定の報知音を出力させることを特徴とする請求項１〜請求項４のいずれかに記載の音声入出力装置。
【請求項６】
一の前記入力ソースが複数の音声を有する際に、該入力ソースの選択時に複数の音声の選択画面を前記リスト表示部上に表示したことを特徴とする請求項１〜請求項５のいずれかに記載の音声入出力装置。
【請求項７】
所望の前記出力識別情報に対して関連付け可能な未定入力項目を前記リスト表示部に表示し、前記出力識別情報との関連付けが完了した前記未定入力項目を選択した際に、出力可能な前記入力ソースの前記入力識別情報のリストを表示し、所望の前記入力識別情報の選択によって前記入力識別情報と前記出力識別情報とが関連付けられることを特徴とする請求項１〜請求項６のいずれかに記載の音声入出力装置。
【発明の詳細な説明】
【技術分野】
【０００１】
本発明は、複数の入力ソース及び一又は複数の音声出力端末が接続される音声入出力装置に関する。
【背景技術】
【０００２】
特許文献１には、複数の音声出力端末が接続される音声入出力装置が開示されている。この音声入出力装置は音声多重放送に関するＴＶ放送信号を受信可能に構成され、ＴＶ放送信号に基づいて映像や音声を出力可能となっている。複数の音声出力端末は無線により音声入出力装置に接続されている。
【０００３】
使用者は音声出力端末に対して所定の操作を行うことにより、音声入出力装置が受信した複数の音声から所望の音声を選択する。これにより、使用者は音声出力端末を介して所望の音声を聴くことができる。
【先行技術文献】
【特許文献】
【０００４】
【特許文献１】特開２００６−３３９８５６号公報（第５頁、第４図、第６図）
【発明の概要】
【発明が解決しようとする課題】
【０００５】
しかしながら、上記特許文献１に開示された音声入出力装置によると、使用者は音声出力端末を操作することにより所望の音声を選択する。このため、使用者は音声出力端末から出力される音声が所望の音声であるか否かを逐一聴いて確認する必要がある。このように音声を聴いて所望の音声であるか否かを判断する場合には音声を一定時間聴く必要があるため、選択操作に時間を要する。したがって、所望の音声を決定するのに手間を要し、音声入出力装置の使用性が低下する問題があった。
【０００６】
また、一般的に音声入出力装置に接続される入力ソースの数が増加するに従って、選択可能な音声の数も増加する。この場合、互いに類似する音声を有する複数の入力ソースが音声入出力装置に接続されることも生じる。このため、使用者は所望の入力ソースの音声を決定するまでに音声出力端末を介して音声の聴取を繰り返す場合が生じる。したがって、音声入出力装置の使用性の低下が一層顕著になる。
【０００７】
さらに、音声入出力装置に複数の音声出力端末を接続した場合にも、使用者は所望の入力ソースの音声を所望の音声出力端末に出力させるまでに各音声出力端末を介して音声の聴取を繰り返す場合が生じるため、選択操作に時間を要する。
【０００８】
本発明は、使用性を向上できる音声入出力装置を提供することを目的とする。
【課題を解決するための手段】
【０００９】
本発明は、複数の入力ソース及び一又は複数の音声出力端末が接続される本体部を備え、各前記音声出力端末に対して所望の前記入力ソースの音声データを送信して前記音声出力端末から音声を出力させる音声入出力装置において、各前記入力ソースを識別する入力識別情報のリストと各前記音声出力端末を識別する出力識別情報のリストとを表示するリスト表示部と、所望の前記入力識別情報と前記出力識別情報とを関連付ける関連付け操作を行う操作部とを設け、前記出力識別情報に関連付けられた前記入力識別情報に対応する前記入力ソースの音声を該出力識別情報に対応する前記音声出力端末から出力させることを特徴としている。
【００１０】
この構成によると、入力ソースを識別する入力識別情報のリストと音声出力端末を識別する出力識別情報のリストとがリスト表示部に表示される。操作部を用いて所望の入力識別情報と出力識別情報とを関連付ける関連付け操作を行うことにより、出力識別情報に関連付けられた入力識別情報に対応する入力ソースの音声は、この出力識別情報に対応する音声出力端末から出力される。
【００１１】
また本発明は上記構成の音声入出力装置において、前記本体部と無線通信する通信端末を備え、前記リスト表示部及び前記操作部を前記通信端末に設けると好ましい。この構成によると、通信端末を用いて所望の入力識別情報と出力識別情報とを関連付ける関連付け操作を行うことにより、所望の入力ソースの音声が所望の音声出力端末から出力される。
【００１２】
また本発明は上記構成の音声入出力装置において、前記リスト表示部及び前記操作部がタッチパネルから成り、前記入力識別情報及び前記出力識別情報の一方をドラッグして他方にドロップすることにより前記関連付け操作を行うとより好ましい。この構成によると、表示部に表示された入力識別情報及び出力識別情報の一方を手指等によりドラッグして他方にドロップして関連付け操作が行われる。
【００１３】
また本発明は上記構成の音声入出力装置において、前記本体部と無線通信する通信端末を備えるとともに、前記本体部が前記入力ソースの映像を表示する映像表示部を有し、前記リスト表示部が前記映像表示部から成るとともに、前記操作部を前記通信端末に設けると好ましい。この構成によると、使用者は音声入出力装置の本体部の映像表示部を見ながら、本体部から離れた位置で手元の操作部を操作して所望の入力識別情報と出力識別情報とを関連付ける関連付け操作を行う。
【００１４】
また本発明は上記構成の音声入出力装置において、前記関連付け操作を行った前記音声出力端末から関連付けが完了したことを示す所定の報知音を出力させるとより好ましい。
【００１５】
また本発明は上記構成の音声入出力装置において、一の前記入力ソースが複数の音声を有する際に、該入力ソースの選択時に複数の音声の選択画面を前記リスト表示部上に表示すると好ましい。この構成によると、使用者はリスト表示部上の選択画面で音声を選択することができる。
【００１６】
また本発明は上記構成の音声入出力装置において、所望の前記出力識別情報に対して関連付け可能な未定入力項目を前記リスト表示部に表示し、前記出力識別情報との関連付けが完了した前記未定入力項目を選択した際に、出力可能な前記入力ソースの前記入力識別情報のリストを表示し、所望の前記入力識別情報の選択によって前記入力識別情報と前記出力識別情報とが関連付けられると好ましい。
【００１７】
この構成によると、所望の出力識別情報に関連付けられた未定入力項目を選択した際に、出力可能な入力ソースの入力識別情報のリストが表示される。この時、所望の入力識別情報の選択によって入力識別情報と出力識別情報とが関連付けられる。
【発明の効果】
【００１８】
本発明によると、リスト表示部に表示された所望の入力識別情報と出力識別情報とを関連付ける関連付け操作を行い、出力識別情報に関連付けられた入力識別情報に対応する入力ソースの音声をこの出力識別情報に対応する音声出力端末から出力させる。これにより、所望の入力ソースの音声を所望の音声出力端末から容易に出力させることができる。したがって、音声入出力装置の使用性を向上させることができる。
【図面の簡単な説明】
【００１９】
【図１】本発明の第１実施形態のテレビジョン受像機を示す正面図である。
【図２】本発明の第１実施形態のテレビジョン受像機の構成を示すブロック図である。
【図３】本発明の第１実施形態のテレビジョン受像機の入力ソースの音声をヘッドホンに出力する動作を示すフローチャートである。
【図４】本発明の第１実施形態のテレビジョン受像機のリモートコントローラのリスト表示部の表示状態を示すイメージ図である。
【図５】本発明の第１実施形態のテレビジョン受像機のリモートコントローラのリスト表示部の表示状態を示すイメージ図であって入力ソースのアイコンとヘッドホンのアイコンとを関連付ける関連付け操作を説明するためのイメージ図である。
【図６】本発明の第１実施形態のテレビジョン受像機のリモートコントローラのリスト表示部の表示状態を示すイメージ図であって複数音声の選択画面がリスト表示部上に表示された様子を示すイメージ図である。
【図７】本発明の第２実施形態のテレビジョン受像機のリモートコントローラのリスト表示部の表示状態を示すイメージ図である。
【図８】本発明の第３実施形態のテレビジョン受像機のリモートコントローラのリスト表示部の表示状態を示すイメージ図であって入力ソースのアイコンとヘッドホンのアイコンとを関連付ける関連付け操作を説明するためのイメージ図である。
【発明を実施するための形態】
【００２０】
＜第１実施形態＞
以下に図面を参照して本発明の実施形態を説明する。図１は第１実施形態のテレビジョン受像機を示す正面図である。テレビジョン受像機１（音声入出力装置）はＴＶ放送信号を受信可能に構成され、複数のヘッドホン３０、４０、５０（音声出力端末）やハードディスク装置６０（入力ソースＳ１）等が接続される本体部１０を有する。本体部１０は操作部１０５（図２参照）、音声出力部１０３及び映像表示部１０４を有する。ハードディスク装置６０は録画番組等を保存する。
【００２１】
音声出力部１０３は例えばスピーカから成り、音声を出力する。操作部１０５は複数の操作ボタン（不図示）から成る。各操作ボタンの押し下げにより本体部１０への電源投入、チャンネルの変更、音声出力部１０３から出力される音量の調節等を行うことができる。映像表示部１０４は例えば液晶表示パネルから成り、ＴＶ放送局から受信した映像信号に基づく映像やハードディスク６０で再生された録画番組を表示する。
【００２２】
また、本体部１０はリモートコントローラ２０と無線通信を行い、リモートコントローラ２０によって遠隔操作される。リモートコントローラ２０はリスト表示部２１及び操作部２２を有し、リスト表示部２１及び操作部２２はタッチパネルから成っている。リスト表示部２１は液晶パネルや有機ＥＬ等から成り、操作メニューや通信状況等を表示する。また、リスト表示部２１は後述のリストＬ１、Ｌ２（図４参照）を表示する。
【００２３】
ヘッドホン３０、４０、５０は本体部１０と無線通信を行い、スピーカ（不図示）、電源ボタン（不図示）及び音量調節ボタン（不図示）等を有する。スピーカはテレビジョン受像機１の本体部１０から送信された音声信号に基づく音声を出力する。電源ボタンの押し下げによりヘッドホン３０、４０、５０に電源が投入される。また、音量調節ボタンの操作によりスピーカから出力される音声の音量を調節することができる。
【００２４】
テレビジョン受像機１の本体部１０、リモートコントローラ２０、ヘッドホン３０、４０、５０及びハードディスク６０はそれぞれＢｌｕｅｔооｔｈ（登録商標）規格に従った無線通信機能を備えている。ここで、Ｂｌｕｅｔооｔｈ規格を利用した通信確立方法について以下説明する。テレビジョン受像機１の本体部１０がリモートコントローラ２０、ヘッドホン３０、４０、５０、ハードディスク６０に問合せ信号を送信し、問合せ信号に対する応答信号をリモートコントローラ２０、ヘッドホン３０、４０、５０、ハードディスク６０から受信する。
【００２５】
その後、テレビジョン受像機１の本体部１０の映像表示部１０４には、応答信号を送信したリモートコントローラ２０、ヘッドホン３０、４０、５０、ハードディスク６０の端末情報（例えばアイコン）が表示される。そして、使用者が操作部１０５を用いてリモートコントローラ２０、ヘッドホン３０、４０、５０、ハードディスク６０の端末情報を選択すると、テレビジョン受像機１の本体部１０からリモートコントローラ２０、ヘッドホン３０、４０、５０、ハードディスク６０へ通信確立要求信号が送信される。これにより、テレビジョン受像機１の本体部１０、リモートコントローラ２０、ヘッドホン３０、４０、５０、ハードディスク６０の間で通信が確立される。
【００２６】
リモートコントローラ２０、ヘッドホン３０、４０、５０、ハードディスク６０はテレビジョン受像機１の本体部１０からＢｌｕｅｔｏｏｔｈ規格による電波が届く領域（例えばクラス２の場合では、半径１０ｍ）に配置される。
【００２７】
リモートコントローラ２０及びハードディスク６０はＰＡＮプロファイル（Personal Area Networking Profile）またはＳＰＰ（Serial Port Profile）を用いてテレビジョン受像機１の本体部１０とデータ通信を行う。ヘッドホン３０、４０、５０は、Ａ２ＤＰ（Advanced Audio Distribution Profile）を用いてテレビジョン受像機１の本体部１０とデータ通信を行う。
【００２８】
図２は、テレビジョン受像機１の構成を示すブロック図である。テレビジョン受像機１はＣＰＵから成る制御部１０１を備え、制御部１０１によってテレビジョン受像機１の各部を制御する。制御部１０１には、第１チューナ１０２ｂ、第２チューナ１０２ｃ、音声出力部１０３、映像表示部１０４、操作部１０５、通信部１０６、入力部１０７及び記憶部１０８がそれぞれ接続されている。
【００２９】
第１チューナ１０２ｂ（入力ソースＳ２）及び第２チューナ１０２ｃ（入力ソースＳ３）はＴＶ放送信号受信用のアンテナ１０２ａが接続され、アンテナ１０２ａを介してＴＶ放送局からＴＶ放送信号（例えば、地上波デジタル放送やＢＳデジタル放送等に関するＴＶ放送信号等）を受信する。
【００３０】
制御部１０１は第１チューナ１０２ｂ及び第２チューナ１０２ｃが受信したＴＶ放送信号を復調する。その後、制御部１０１から音声出力部１０３へ音声信号が送信され、音声信号に基づく音声が音声出力部１０３から出力される。また、制御部１０１から映像表示部１０４へ映像信号が送信され、映像信号に基づく映像が映像表示部１０４から出力される。
【００３１】
また、音声信号は通信部１０６にも出力される。なお、音声は例えば二か国語放送等の音声多重放送により放送される主音声や副音声等も含む。
【００３２】
入力部１０７には外部入力端子（不図示）を介して例えばビデオレコーダ等の外部機器（不図示）が接続される。
【００３３】
通信部１０６にはアンテナ１０６ａが接続される。通信部１０６はアンテナ１０６ａを介して無線通信によりリモートコントローラ２０、ヘッドホン３０、４０、５０、ハードディスク６０との間で通信データの送受信を行う。
【００３４】
また、通信部１０６はリモートコントローラ２０、ヘッドホン３０、４０、５０、ハードディスク６０に問合せ信号を送信し、問合せ信号に対する応答信号を受信する。応答信号としては例えばＦＨＳ（Frequency Hop Synchronization）パケットを用いることができる。
【００３５】
また、通信部１０６は通信確立要求信号をリモートコントローラ２０、ヘッドホン３０、４０、５０、ハードディスク６０に送信する。これにより、前述したように、テレビジョン受像機１の本体部１０、リモートコントローラ２０、ヘッドホン３０、４０、５０、ハードディスク６０との間で通信が確立される（ペアリングされる）。この結果、本体部１０、リモートコントローラ２０、ヘッドホン３０、４０、５０、ハードディスク６０との間でデータの送受信が可能になる。
【００３６】
記憶部１０８はＥＥＰＲＯＭ等から成り、各種のソフトウェア、ワークデータ、管理データ等を格納する。
【００３７】
図３はテレビジョン受像機１の入力ソースＳ１〜Ｓ３の音声信号をヘッドホン３０、４０、５０に送信する動作を示すフローチャートである。本体部１０の操作ボタンを押し下げて本体部１０に電源を投入する。その後、操作部２２の操作によりリスト表示部２１に関連付け画面（不図示）を表示させる。なお、この時、入力ソースＳ１〜Ｓ３は本体部１０へデータを送信できる状態（再生状態）になっているとともに、ヘッドホン３０、４０、５０にも電源が投入されている。
【００３８】
ステップ＃１では、ヘッドホン３０、４０、５０に出力可能な入力ソースＳ１〜Ｓ３が本体部１０において検索される。ステップ＃２では、入力ソースＳ１〜Ｓ３と接続可能なヘッドホン３０、４０、５０が本体部１０において検索される。その後、ステップ＃３では、リモートコントローラ２０のリスト表示部２１にリストＬ１、Ｌ２が表示される。
【００３９】
図４は、ステップ＃３におけるリモートコントローラ２０のリスト表示部２１の表示状態を示すイメージ図である。ステップ＃３では、リスト表示部２１の左右画面にはそれぞれリストＬ１、Ｌ２が表示される。
【００４０】
リストＬ１には入力ソースＳ１〜Ｓ３をそれぞれ識別するアイコン６０ｉ、２０ｉ、１０ｉ（入力識別情報）が上下に並べられて掲載される。リストＬ２にはヘッドホン３０、４０、５０をそれぞれ識別するアイコン３０ｉ、４０ｉ、５０ｉ（出力識別情報）が上下に並べられて掲載される。なお、リスト表示部２１の画面上をフリックすることにより、リストＬ１、Ｌ２をスクロールすることができる。
【００４１】
アイコン６０ｉはハードディスク６０に保存された録画番組等が再生中であることを示している。アイコン２０ｉは第１チューナ１０２ｂで受信された放送番組をリモートコントローラ２０のリスト表示部２１に表示可能であることを示している。アイコン１０ｉは第２チューナ１０２ｃで受信された放送番組が本体部１０の映像表示部１０４に表示されていることを示している。
【００４２】
また、アイコン６０ｉ、２０ｉ、１０ｉをそれぞれタップすることによりリスト（不図示）がリスト表示部２１に表示される。例えば、アイコン６０ｉをタップすると、ハードディスク６０内に保存された録画番組名等がリストで表示される。使用者はリストに表示された録画番組名をタップすることにより、所望の録画番組を視聴することができる。また、アイコン２０ｉ、１０ｉをタップすると、番組表等がリスト表示部２１に表示される。
【００４３】
ステップ＃４では、入力ソースＳ１〜Ｓ３をそれぞれ識別するアイコン６０ｉ、２０ｉ、１０ｉのいずれかをヘッドホン３０、４０、５０をそれぞれ識別するアイコン３０ｉ、４０ｉ、５０ｉのいずれかにドロップして関連付ける関連付け操作が行われたか否かが判断される。
【００４４】
図５は関連付け操作の際のリモートコントローラ２０のリスト表示部２１の表示状態を示すイメージ図である。ステップ＃４において、例えばアイコン１０ｉをドラッグしてアイコン３０ｉに重ねた状態でドロップする。これにより、アイコン１０ｉとアイコン３０ｉとが関連付けられる。すなわち、アイコン１０ｉに対応する入力ソースＳ３とアイコン３０ｉに対応するヘッドホン３０とが関連付けられる。その後、ステップ＃５に移行する。
【００４５】
なお、ステップ＃４において、アイコン６０ｉ、２０ｉ、１０ｉのいずれもアイコン３０ｉ、４０ｉ、５０ｉにドロップされなかった場合（関連付け操作が行われなかった場合）にはステップ＃１２に移行する。
【００４６】
ステップ＃５では、関連付けられたアイコン１０ｉに対応する入力ソースＳ３が出力可能なコンテンツの少なくとも１つが複数の音声を有するか否かが判断される。本実施形態では、入力ソースＳ３が出力可能な放送番組（コンテンツ）の１つは複数の音声（日本語音声と英語音声）を有するので、ステップ＃６に移行する。
【００４７】
図６はリモートコントローラ２０のリスト表示部２１のステップ＃６における表示状態を示すイメージ図である。リスト表示部２１には複数の音声の選択画面ＳＰがポップアップ表示される。これにより、使用者は選択画面ＳＰ上で日本語音声または英語音声を選択することができる。
【００４８】
ステップ＃７では、日本語音声または英語音声が選択されるまで待機する。ステップ＃７において、例えば「日本語」のボックスがタップされた場合には、ステップ＃８に移行する。ステップ＃８では、アイコン１０ｉとアイコン３０ｉとが関連付けられたことを示す関連付け情報が本体部１０の記憶部１０８に記憶される。
【００４９】
ステップ＃９では、例えばアイコン１０ｉ及びアイコン３０ｉの色が変化することによって、アイコン１０ｉとアイコン３０ｉとが関連付けられた状態であることがリスト表示部２１上に表示される。これにより、使用者はアイコン１０ｉとアイコン３０ｉとが関連付けられていることを容易に認識できる。
【００５０】
ステップ＃１０では、入力ソースＳ３と関連付けられたヘッドホン３０から例えばビープ音等の報知音が出力される。これにより、使用者は所望のアイコン１０ｉに対応する入力ソースＳ３の音声が出力されるヘッドホン３０を容易に認識することができる。なお、報知音の出力は、所望の入力ソースＳ３の音声が所望のヘッドホン３０から出力される前に停止されればよい。
【００５１】
ステップ＃１１では、Ｂｌｕｅｔｏｏｔｈ規格に従ってリモートコントローラ２０からの指示によって入力ソースＳ３の日本語音声データがヘッドホン３０に送信される。これにより、入力ソースＳ３の日本語音声がヘッドホン３０から出力される。したがって、使用者はヘッドホン３０で音声を聴取して確認することなく、所望の入力ソースＳ３の音声を所望のヘッドホン３０から容易に出力させることができる。その結果、テレビジョン受像機１の使用性を向上させることができる。
【００５２】
ステップ＃１２では所定時間が経過したか否かが判断される。所定時間が経過するとステップ＃１３に移行する。ステップ＃１３では、リモートコントローラ２０のリスト表示部２１においてリストＬ１、Ｌ２が非表示状態になる。ステップ＃１２において、所定時間が経過していない場合にはステップ＃４に戻り、ステップ＃４〜＃１２が繰り返される。
【００５３】
なお、ステップ＃４において、例えば入力ソースＳ１のアイコン６０ｉとヘッドホン３０のアイコン３０ｉとを関連付けた場合に、ステップ＃５において、入力ソースＳ１が１つの音声のみを有すると判断された場合にはステップ＃８に移行する。
【００５４】
本実施形態によると、複数の入力ソースＳ１〜Ｓ３及びヘッドホン３０、４０、５０（音声出力端末）が接続される本体部１０を備え、ヘッドホン３０、４０、５０に対して所望の入力ソースの音声データを送信してヘッドホン４０から音声を出力させるテレビジョン受像機１（音声入出力装置）において、各入力ソースＳ１〜Ｓ３を識別するアイコン６０ｉ、２０ｉ、１０ｉ（入力識別情報）のリストＬ１とヘッドホン３０、４０、５０を識別するアイコン３０ｉ、４０ｉ、５０ｉ（出力識別情報）のリストＬ２とを表示するリスト表示部２１と、所望のアイコン１０ｉとアイコン３０ｉとを関連付ける関連付け操作を行う操作部２２とを設け、アイコン３０ｉに関連付けられたアイコン１０ｉに対応する入力ソースＳ３の音声をアイコン３０ｉに対応するヘッドホン３０から出力させる。
【００５５】
これにより、使用者はヘッドホン３０で音声を聴取して確認することなく、所望の入力ソースＳ３の音声を所望のヘッドホン３０から容易に出力させることができる。したがって、テレビジョン受像機１の使用性を向上させることができる。
【００５６】
また、テレビジョン受像機１の本体部１０と無線通信するリモートコントローラ２０（通信端末）を備え、リスト表示部２１及び操作部２２をリモートコントローラ２０に設けている。これにより、使用者はテレビジョン受像機１から離れた場所においても関連付け操作を容易に行うことができる。したがって、テレビジョン受像機１の使用性を一層向上させることができる。
【００５７】
また、リスト表示部２１及び操作部２２がタッチパネルから成り、アイコン１０ｉをドラッグしてアイコン３０ｉにドロップすることにより関連付け操作を行う。これにより、簡単な操作で所望の入力ソースＳ３の音声をヘッドホン３０から出力させることができる。なお、アイコン３０ｉをドラッグしてアイコン１０ｉにドロップして関連付け操作を行ってもよい。
【００５８】
また、関連付け操作を行ったヘッドホン３０から関連付けが完了したことを示すビープ音（報知音）を出力させる。これにより、使用者は所望の入力ソースＳ３の音声を聴くことができるヘッドホン３０を容易に認識することができる。したがって、テレビジョン受像機１の使用性を一層向上させることができる。
【００５９】
また、入力ソースＳ３は複数の音声（日本語音声及び英語音声）を有するが、入力ソースの選択時に日本語音声及び英語音声の一方を選択できる選択画面ＳＰをリスト表示部２１上に表示する。これにより、使用者は日本語音声または英語音声を容易に選ぶことができる。なお、複数の音声は３つ以上でもよく、また内容が異なれば言語は同じであってもよい。
【００６０】
なお、第１実施形態において、リストＬ１、Ｌ２を映像表示部１０４に表示し、テレビジョン受像機１の操作部１０５を用いて、アイコン１０ｉとアイコン３０ｉとを関連付ける関連付け操作を行ってもよい。これにより、リモートコントローラ２０に故障等の不具合が生じても関連付け操作を行うことができる。
【００６１】
また、第１実施形態において、リスト表示部２１は映像表示部１０４から成ってもよい。この時、リモートコントローラ２０に設けた操作部２２は映像表示部１０４に表示されたカーソル（不図示）を移動する十字キー（不図示）やチャンネルを入力する文字キー（ 不図示）等の複数の操作キーから成るようにしてもよい。これにより、リモートコントローラ２０にリスト表示部２１を設ける必要がなくなるので、リモートコントローラ２０の製造コストを削減することができる。
【００６２】
＜第２実施形態＞
次に、本発明の第２実施形態について説明する。図７は、本実施形態のテレビジョン受像機１のリモートコントローラ２０のリスト表示部２１の表示状態を示すイメージ図である。説明の便宜上、前述の図１〜図６に示した第１実施形態と同様の部分には同一の符号を付している。本実施形態はリストＬ１の構成が第１実施形態とは異なっている。その他の部分は第１実施形態と同様である。
【００６３】
リストＬ１には「十字」で表示される未定入力項目７０ｉが掲載されている。未定入力項目７０ｉは、リストＬ１のアイコン１０ｉよりも下方の場所を例えばダブルタップすることにより作成される。また、未定入力項目７０ｉはヘッドホン３０、４０、５０のアイコン３０ｉ、４０ｉ、５０ｉに対して関連付けが可能になっている。
【００６４】
未定入力項目７０ｉをドラッグして例えばアイコン３０ｉにドロップすることにより、未定入力項目７０ｉとアイコン３０ｉとが関連付けられる。アイコン３０ｉと関連付けられた未定入力項目７０ｉをタップして選択すると、接続可能な入力ソースＳ１〜Ｓ３のアイコン６０ｉ、２０ｉ、１０ｉのリストがリスト表示部２１に表示される。そして、使用者が例えばアイコン６０ｉを選択することによってアイコン６０ｉとアイコン３０ｉとが関連付けられる。
【００６５】
第２実施形態によると、第１実施形態と同様な効果を得ることができる。また、所望のアイコン３０ｉに対して関連付け可能な未定入力項目７０ｉをリスト表示部２１に表示し、アイコン３０ｉに関連付けられた未定入力項目７０ｉを選択した際に、接続可能な入力ソースＳ１〜Ｓ３のアイコン６０ｉ、２０ｉ、１０ｉのリストを表示し、例えば所望のアイコン６０ｉの選択によってアイコン６０ｉとアイコン３０ｉとが関連付けられる。これにより、所望のヘッドホン３０のアイコン３０ｉと未定入力項目７０ｉとを関連付ける際には使用者は入力ソースを決定する必要がない。したがって、入力ソースの選択の機会が増え、テレビジョン受像機１の使用性を向上させることができる。
【００６６】
なお、第２実施形態において、未定入力項目７０ｉを「十字」で表示する代わりに、使用者が具体的な入力ソースをイメージできるような表示にしてもよい。例えば、インターネットにつながることを示す表示にしてもよい。これにより、使用者は未定入力項目７０ｉの概要を把握することができる。
【００６７】
＜第３実施形態＞
次に、本発明の第３実施形態について説明する。図８は、本実施形態のテレビジョン受像機１のリモートコントローラ２０のリスト表示部２１の表示状態を示すイメージ図であって入力ソースＳ３のアイコン１０ｉとヘッドホン３０のアイコン３０ｉとを関連付ける関連付け操作を説明するためのイメージ図である。説明の便宜上、前述の図１〜図６に示した第１実施形態と同様の部分には同一の符号を付している。本実施形態は関連付け操作の方法が第１実施形態とは異なっている。その他の部分は第１実施形態と同様である。
【００６８】
まず、アイコン１０ｉをタップして選択するとアイコン１０ｉの色が変化する。その後にアイコン３０ｉをタップして選択するとアイコン３０ｉの色が変化するとともに、リスト表示部２１上に「決定しますか」というメッセージボックスＢがポップアップ表示される。そして、使用者がメッセージボックスＢをタップすると、アイコン１０ｉとアイコン３０ｉとが関連付けられる。なお、図８において、ハッチングは色の変化を示している。
【００６９】
第３実施形態によると、第１実施形態と同様な効果を得ることができる。また、所望のアイコン１０ｉとアイコン３０ｉとが選択されていることを使用者は一旦確認した上で、アイコン１０ｉとアイコン３０ｉとを関連付ける。したがって、所望のアイコン１０ｉとアイコン３０ｉとを確実に関連付けることができる。
【００７０】
なお、第２実施形態において、アイコン３０ｉと未定入力項目７０ｉとをそれぞれ選択した後にメッセージボックスＢをタップして、アイコン３０ｉと未定入力項目７０ｉとを関連付けてもよい。
【００７１】
第１〜第３実施形態では、音声入出力装置としてテレビジョン受像機１を例に説明しているが、これに限定されない。音声入出力装置として例えばラジオ受信機やパーソナルコンピュータ等を用いてもよい。
【００７２】
第１〜第３実施形態において、通信端末としてリモートコントローラ２０を例に説明しているが、これに限定されない。通信端末として例えば携帯電話機、スマートフォン、タブレット等を用いてもよい。
【００７３】
第１〜第３実施形態では、関連付け操作を行った際に、関連付けたヘッドホン３０から関連付けが完了したことを示す報知音を出力させているが、報知音に限定されない。例えばヘッドホン３０にＬＥＤランプを設けてＬＥＤランプを点滅させることにより関連付けが完了したことを報知してもよい。
【００７４】
第１〜第３実施形態において、関連付け操作の前にリスト表示部２１においてヘッドホン３０のアイコン３０ｉを選択した際に、選択されたことを示す報知音をヘッドホン３０から出力させてもよい。この時、ヘッドホン３０にＬＥＤランプを設けてＬＥＤランプを点滅させることにより選択されたことを報知してもよい。これにより、使用者は所望のヘッドホン３０を容易に認識することができる。したがって、テレビジョン受像機１の使用性を一層向上させることができる。
【００７５】
第１〜第３実施形態において、アイコン１０ｉをアイコン３０ｉとのみ関連付けているが、例えばアイコン１０ｉとアイコン３０ｉ、４０ｉとを関連付けてもよい。
【００７６】
第１〜第３実施形態において、複数のヘッドホン３０、４０、５０がテレビジョン受像機１に接続されているが、例えばヘッドホン３０のみがテレビジョン受像機１に接続されていてもよい。
【００７７】
第１〜第３実施形態において、入力識別情報及び出力識別情報としてアイコンを例に説明しているが、これに限定されない。入力識別情報及び出力識別情報としては例えば文字情報であってもよい。
【００７８】
第１〜第３実施形態において、入力ソースＳ１〜Ｓ３を例に説明しているが、これに限定されない。入力ソースとしては例えばホームサーバ装置を用いてもよい。これにより、使用者は所望のヘッドホン３０を用いてインターネットラジオの音声を聴くことができる。また、ホームサーバ装置に接続されるパーソナルコンピュータで再生される音声を所望のヘッドホン３０を用いて聴くことができる。
【産業上の利用可能性】
【００７９】
本発明は、一又は複数の音声出力端末が接続される音声入出力装置に利用することができる。
【符号の説明】
【００８０】
１      テレビジョン受像機（音声入出力装置）
１０    本体部
２０    リモートコントローラ（通信端末）
２１    リスト表示部
２２    操作部
３０、４０、５０    ヘッドホン（音声出力端末）
３０ｉ、４０ｉ、５０ｉ    アイコン（出力識別情報）
６０      ハードディスク
１０ｉ、２０ｉ、６０ｉ    アイコン（入力識別情報）
１０１    制御部
１０２ｂ    第１チューナ
１０２ｃ    第２チューナ
１０３    音声出力部
１０４    映像表示部
１０５    操作部
１０６    通信部
１０７    入力部
１０８    記憶部
Ｌ１、Ｌ２    リスト
【図１】
2015018384.tif 000003
【図２】
2015018384.tif 000004
【図３】
2015018384.tif 000005
【図４】
2015018384.tif 000006
【図５】
2015018384.tif 000007
【図６】
2015018384.tif 000008
【図７】
2015018384.tif 000009
【図８】
2015018384.tif 000010